(57)【要約】【課題】反射型光変調装置を備えるプロジェクターにおいて、投写画像の高コントラスト化を図ると共に、投写画像への塵埃の映り込みを防止するプロジェクターを提供する。【解決手段】プロジェクター１は、反射型光変調装置３４３と、反射型光変調装置３４３に入射する光、および反射型光変調装置３４３から反射された光に対して位相を調整する光学補償素子３４２と、光学補償素子３４２を位置調整可能に保持する第１保持部材７１と、反射型光変調装置３４３を位置調整可能に保持する第２保持部材７２と、開口部６１１が形成された第１側面部６１を有し、第１保持部材７１および第２保持部材７２を第１側面部６１に支持する支持部６０と、弾性を有して第１側面部６１および第１保持部材７１の間を覆う第１防塵部材８１と、弾性を有して第１側面部６１および第２保持部材７２の間を覆う第２防塵部材８２と、を備える。【選択図】図５
2015014708.tif 000002
【特許請求の範囲】
【請求項１】
入射する光を画像情報に応じて変調して反射する反射型光変調装置と、
前記反射型光変調装置に入射する光、および前記反射型光変調装置から反射された光に対して位相を調整する光学補償素子と、
前記光学補償素子を位置調整可能に保持する第１保持部材と、
前記反射型光変調装置を位置調整可能に保持する第２保持部材と、
開口部が形成された第１側面部を有し、前記第１保持部材および前記第２保持部材を前記第１側面部に支持する支持部と、
弾性を有して前記第１側面部および前記第１保持部材の間を覆う第１防塵部材と、
弾性を有して前記第１側面部および前記第２保持部材の間を覆う第２防塵部材と、
を備えることを特徴とするプロジェクター。
【請求項２】
請求項１に記載のプロジェクターであって、
入射する光を互いに異なる偏光方向を有する光に偏光分離する反射型偏光素子と、
前記反射型偏光素子を位置調整可能に保持する第３保持部材と、
弾性を有する第３防塵部材と、を備え、
前記支持部は、開口部が形成された第２側面部を有し、前記第２側面部に前記第３保持部材を支持し、
前記第３防塵部材は、前記第２側面部と前記第３保持部材との間を覆うことを特徴とするプロジェクター。
【請求項３】
請求項２に記載のプロジェクターであって、
特定の偏光方向を有する光を透過する偏光素子と、
前記偏光素子を位置調整可能に保持する第４保持部材と、
弾性を有する第４防塵部材と、を備え、
前記支持部は、開口部が形成された第３側面部を有し、前記第３側面部に前記第４保持部材を支持し、
前記第４防塵部材は、前記第３側面部と前記第４保持部材との間を覆うことを特徴とするプロジェクター。
【請求項４】
請求項３に記載のプロジェクターであって、
前記第１防塵部材、前記第２防塵部材、前記第３防塵部材、および前記第４防塵部材のうち少なくとも１つは、表面に凹凸部を備えていることを特徴とするプロジェクター。
【請求項５】
請求項１〜請求項４のいずれか一項に記載のプロジェクターであって、
前記第１保持部材は、前記第２防塵部材の外部に位置し、前記光学補償素子の位置を調整する操作部を備え、
前記第２防塵部材は、前記操作部を摺動可能に押圧することを特徴とするプロジェクター。
【発明の詳細な説明】
【技術分野】
【０００１】
本発明は、プロジェクターに関する。
【背景技術】
【０００２】
従来、反射型光変調装置を備えるプロジェクターが知られている。このようなプロジェクターでは、反射型光変調装置を含め、反射型光変調装置の周囲の光学素子となる反射型偏光素子や光学補償素子等の位置調整を行うことにより、投写画像の高コントラスト化や高輝度化が図られている。
【０００３】
特許文献１には、三角柱状支持部材の第１面に設けられた矩形孔の外周２段の凹部分の深い側の３箇所の凸部にワイヤーグリッド偏光子を取り付け、浅い側とまたがって密閉部材を配置し、更に上部に、板バネ部材を設置する。３箇所の押え部分は、３箇所の凸部と一致しワイヤーグリッド偏光子を垂直方向から押え固定し、枠部分で密閉部材を抑え固定する。板バネ部材は、三角柱状支持部材の下面および上面に形成された爪部に矩形孔部分を引っ掛けて固定し、一定の荷重で板バネ部材の押え部分がワイヤーグリッド偏光子を押さえることが開示されている。
【０００４】
特許文献２には、入射する光を画像情報に応じて変調する反射型液晶パネルと、反射型液晶パネルを保持する保持枠と、保持枠が取り付けられる支持本体と、支持本体から突出する支持ピンと、を備えるプロジェクターが開示されている。そして、保持枠と、支持本体の側面部（第２側面部）との間を覆う防塵部材を備えることにより、第２側面部と保持枠との隙間からの塵埃の侵入を防止するとしている。
【先行技術文献】
【特許文献】
【０００５】
【特許文献１】特開２００９−１２２３８５号公報
【特許文献２】特開２０１３−７３０４０号公報
【発明の概要】
【発明が解決しようとする課題】
【０００６】
しかしながら、特許文献２での防塵部材は、保持枠の縁部外周に沿って配置され、支持本体の第２側面部は、縁部外周の面方向に対して略垂直方向となるため、防塵に寄与する方向に押圧力が効果的に加わり難い構造であり、防塵としての効果が弱まる虞がある。なお、反射型光変調装置等に塵埃が付着した場合には、投写画像に塵埃の影が映り込むという不具合が発生する。
【０００７】
従って、反射型光変調装置を備えるプロジェクターにおいて、投写画像の高コントラスト化を図ると共に、投写画像への塵埃の映り込みを防止するプロジェクターが要望されていた。
【課題を解決するための手段】
【０００８】
本発明は、上述した課題の少なくとも一部を解決するためになされたものであり、以下の形態または適用例として実現することが可能である。
【０００９】
［適用例１］本適用例に係るプロジェクターは、（ａ）入射する光を画像情報に応じて変調して反射する反射型光変調装置と、（ｂ）反射型光変調装置に入射する光、および反射型光変調装置から反射された光に対して位相を調整する光学補償素子と、（ｃ）光学補償素子を位置調整可能に保持する第１保持部材と、（ｄ）反射型光変調装置を位置調整可能に保持する第２保持部材と、（ｅ）開口部が形成された第１側面部を有し、第１保持部材および第２保持部材を第１側面部に支持する支持部と、（ｆ）弾性を有して第１側面部および第１保持部材の間を覆う第１防塵部材と、（ｇ）弾性を有して第１側面部および第２保持部材の間を覆う第２防塵部材と、を備えることを特徴とする。
【００１０】
このようなプロジェクターによれば、光学補償素子は第１保持部材により位置調整され、反射型光変調装置は第２保持部材により位置調整される。これにより、投写画像の高コントラスト化を図ることができる。また、弾性を有する第１防塵部材で、第１側面部と第１保持部材との間を覆うことにより、光学補償素子の位置調整を行っても、第１側面部と第１保持部材との間を密閉することができる。また、弾性を有する第２防塵部材で、第１側面部と第２保持部材との間を覆うことにより、反射型光変調装置の位置調整を行っても、第１側面部と第２保持部材との間を密閉することができる。これにより、光学補償素子と反射型光変調装置との位置調整を行っても、光学補償素子と反射型光変調装置との間を密閉することができ、反射型光変調装置に塵埃が付着することを防止できる。これにより、投写画像に塵埃の影が映り込むことを防止することができる。
【００１１】
［適用例２］上記適用例に係るプロジェクターにおいて、（ａ）入射する光を互いに異なる偏光方向を有する光に偏光分離する反射型偏光素子と、（ｂ）反射型偏光素子を位置調整可能に保持する第３保持部材と、（ｃ）弾性を有する第３防塵部材と、を備え、支持部は、開口部が形成された第２側面部を有し、第２側面部に第３保持部材を支持し、第３防塵部材は、第２側面部と第３保持部材との間を覆うことが好ましい。
【００１２】
このようなプロジェクターによれば、反射型偏光素子は第３保持部材により位置調整されることで、投写画像の高コントラスト化を図ることができる。また、第３防塵部材で、第２側面部と第３保持部材との間を覆うことにより、反射型偏光素子の位置調整を行っても、第２側面部と第３保持部材との間を密閉することができる。そのため、第３保持部材側からの支持部内部への塵埃の侵入を防止することができる。これにより、投写画像に塵埃の影が映り込むことを防止することに寄与することができる。
【００１３】
［適用例３］上記適用例に係るプロジェクターにおいて、（ａ）特定の偏光方向を有する光を透過する偏光素子と、（ｂ）偏光素子を位置調整可能に保持する第４保持部材と、（ｃ）弾性を有する第４防塵部材と、を備え、支持部は、開口部が形成された第３側面部を有し、第３側面部に第４保持部材を支持し、第４防塵部材は、第３側面部と第４保持部材との間を覆うことが好ましい。
【００１４】
このようなプロジェクターによれば、偏光素子は第４保持部材により位置調整されることで、投写画像の高コントラスト化を図ることができる。また、第４防塵部材で、第３側面部と第４保持部材との間を覆うことにより、偏光素子の位置調整を行っても、第３側面部と第４保持部材との間を密閉することができる。そのため、第４保持部材側からの支持部内部への塵埃の侵入を防止することができる。これにより、投写画像に塵埃の影が映り込むことを防止することに寄与することができる。
【００１５】
また、上述した構成により、各光学素子の位置調整を行っても、第１側面部と第１保持部材との間、第１側面部と第２保持部材との間、第２側面部と第３保持部材との間、及び第３側面部と第４保持部材との間を密閉することができるため、第１側面部から第３側面部までの３つの側面部からの支持部内部への塵埃の侵入を防止することができる。これにより、各光学素子の支持部側の面への塵埃の付着を防止することができ、投写画像に塵埃の影が映り込むことを防止することができる。従って、各光学素子の位置調整を行うことで、高コントラスト化を実現することができると共に、投写画像に塵埃の影が映り込むことを防止することができる。
【００１６】
［適用例４］上記適用例に係るプロジェクターにおいて、第１防塵部材、第２防塵部材、第３防塵部材、および第４防塵部材のうち少なくとも１つは、表面に凹凸部を備えていることが好ましい。
【００１７】
このようなプロジェクターによれば、表面に凹凸部を備えた防塵部材は、保持部材が調整のために摺動した場合、防塵部材と保持部材、あるいは、防塵部材と側面部の密閉性を更に確保することができる。従って、投写画像に塵埃の影が映り込むことを更に防止することができる。
【００１８】
［適用例５］上記適用例に係るプロジェクターにおいて、第１保持部材は、第２防塵部材の外部に位置し、光学補償素子の位置を調整する操作部を備え、第２防塵部材は、操作部を摺動可能に押圧することが好ましい。
【００１９】
このようなプロジェクターによれば、操作部が第２防塵部材の外部に位置している場合であっても、この操作部を操作して光学補償素子の位置を調整した場合、第２防塵部材が操作部を摺動可能に押圧することにより、位置調整後の操作部に第２防塵部材を密着させて、防塵性能を確保することができる、従って、光学補償素子と反射型光変調装置との間を密閉することができる。
【図面の簡単な説明】
【００２０】
【図１】実施形態に係るプロジェクターの光学系を示す図。
【図２】Ｂ光用の電気光学装置を示す斜視図。
【図３】電気光学装置を構成単位ごとに分解した斜視図。
【図４】第１側面部に支持される光学補償装置、変調装置ユニットを含む各部材の分解斜視図。
【図５】第１側面部に支持される光学補償装置、変調装置ユニットを含む各部材の分解斜視図。
【図６】電気光学装置を水平面で切断した断面斜視図。
【図７】光学補償装置を組み立てた状態を示す斜視図。
【図８】第２防塵部材が第１保持部材の操作部を押圧することを説明する斜視図。
【図９】第２側面部に支持される反射型偏光装置を含む各部材の分解斜視図。
【図１０】第２側面部に支持される反射型偏光装置を含む各部材の分解斜視図。
【図１１】偏光装置を組み立てた状態を示す斜視図。
【発明を実施するための形態】
【００２１】
以下、実施形態を図面に基づいて説明する。
〔実施形態〕
【００２２】
図１は、本実施形態に係るプロジェクター１の概略構成を模式的に示す図である。図１を参照して、プロジェクター１の光学系の構成及び動作を簡単に説明する。
【００２３】
本実施形態のプロジェクター１は、光源から射出された光束を画像情報に応じて変調して画像光を形成し、その画像光をスクリーン等に投写する。図１に示すように、プロジェクター１は、外装を構成する外装筺体１Ａ、光源装置３１等を有する光学ユニット３、制御部（図示省略）、光源装置３１や制御部等に電力を供給する電源装置（図示省略）、及びプロジェクター１内部を冷却する冷却ファン（図示省略）等を備えている。
【００２４】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に係る制御等を行う。
【００２５】
光学ユニット３は、制御部の制御に基づき、光源装置３１から射出された光束を光学的に処理し、画像情報に応じた画像光を形成して投写する。光学ユニット３は、光源装置３１、照明光学装置３２、色分離光学装置３３、光学装置３４、投写レンズ３５、及びこれらを光路上の所定の位置に配置する光学用筺体１Ｂを備える。
【００２６】
光源装置３１は、超高圧水銀ランプやメタルハライドランプ等からなる放電型の光源３１１及びリフレクター３１２等を備える。光源装置３１は、光源３１１から射出された光束をリフレクター３１２によって射出方向を揃え、照明光学装置３２に向けて射出する。
【００２７】
照明光学装置３２は、第１レンズアレイ３２１、第２レンズアレイ３２２、偏光変換素子３２３、及び重畳レンズ３２４を備える。第１レンズアレイ３２１は、マトリクス状に配列された複数の小レンズを有して構成されており、光源装置３１から射出された光束を複数の光束に分割する。第２レンズアレイ３２２は、第１レンズアレイ３２１と略同様の構成を有しており、重畳レンズ３２４と共に、光束を後述する反射型光変調装置３４３の表面に略重畳させる。偏光変換素子３２３は、第２レンズアレイ３２２から射出されたランダム偏光光を反射型光変調装置３４３で利用可能な第１直線偏光光に揃える機能を有する。なお、偏光変換素子３２３は、直線偏光光として、本実施形態では、色分離光学装置３３での光束の損失が少ないＳ偏光光に揃えている。
【００２８】
色分離光学装置３３は、クロスダイクロイックプリズム３３１、Ｇ光反射ダイクロイックミラー３３２、及び反射ミラー３３３，３３４を備え、照明光学装置３２から射出された光束（Ｓ偏光光）を、赤色光（以下「Ｒ光」と称す）、緑色光（以下「Ｇ光」と称す）、及び青色光（以下「Ｂ光」と称す）の３色の色光に分離する機能を有する。
【００２９】
クロスダイクロイックプリズム３３１は、Ｂ光反射ダイクロイックミラー３３１Ｂ、及びＧＲ光反射ダイクロイックミラー３３１ＧＲがＸ字状に配列されている。クロスダイクロイックプリズム３３１は、照明光学装置３２から射出された光束のうち、Ｂ光をＢ光反射ダイクロイックミラー３３１Ｂで反射し、Ｇ光及びＲ光をＧＲ光反射ダイクロイックミラー３３１ＧＲで反射して、入射する光束を分離する。
【００３０】
Ｂ光反射ダイクロイックミラー３３１Ｂで反射されたＢ光は、反射ミラー３３３により反射され、後述する電気光学装置６Ｂに射出される。一方、ＧＲ光反射ダイクロイックミラー３３１ＧＲによって反射されたＧ光及びＲ光は、反射ミラー３３４により反射された後、Ｇ光反射ダイクロイックミラー３３２に入射する。
【００３１】
Ｇ光反射ダイクロイックミラー３３２は、反射ミラー３３４により反射されたＧ光及びＲ光のうち、Ｇ光を反射し、Ｒ光を透過して入射する光束を分離する。Ｇ光反射ダイクロイックミラー３３２で反射されたＧ光は、後述する電気光学装置６Ｇに射出され、Ｇ光反射ダイクロイックミラー３３２を透過したＲ光は、後述する電気光学装置６Ｒに射出される。
【００３２】
光学装置３４は、３色の色光毎に備えられた電気光学装置６（Ｒ光用の電気光学装置を６Ｒ、Ｇ光用の電気光学装置を６Ｇ、Ｂ光用の電気光学装置を６Ｂとする）、及び色合成光学装置としてのクロスダイクロイックプリズム３４５を備え、色分離光学装置３３で分離された各色光を画像情報に応じて変調し、画像光を形成する。
【００３３】
電気光学装置６は、反射型偏光素子３４１、光学補償素子３４２、反射型光変調装置３４３、偏光素子３４４、及び支持部６０を備える。反射型偏光素子３４１は、ガラス基板上にアルミニウム等からなる微細な線状リブを平行に多数配列したワイヤーグリッド型の構成となっている。反射型偏光素子３４１は、線状リブの延出方向に対して垂直な偏光方向の偏光光を透過し、線状リブの延出方向に平行な偏光方向の偏光光を反射する。言い換えると、反射型偏光素子３４１は、入射する光束を互いに異なる偏光方向を有する光に偏光分離する。
【００３４】
本実施形態の反射型偏光素子３４１は、偏光変換素子３２３で揃えられた直線偏光光（本実施形態ではＳ偏光光）を透過させ、直線偏光光と略直交する直線偏光光（本実施形態ではＰ偏光光）を反射する。
【００３５】
光学補償素子３４２は、反射型光変調装置３４３に入射する光束、及び反射型光変調装置３４３から反射された光束に対して位相を調整する。後述する液晶パネルで構成される反射型光変調装置３４３から射出された偏光光は位相にズレが生じるため、光学補償素子３４２は、偏光光の位相差を補償する。これにより、コントラストの向上や視野角の拡大に寄与する。
【００３６】
反射型光変調装置３４３は、対向する基板間に液晶層が挟持された構造を有する、反射型の高温ポリシリコンＴＦＴ液晶パネル、または、いわゆるＬＣＯＳ（Liquid Crystal On Silicon）等で構成されている。
【００３７】
反射型光変調装置３４３は、反射型偏光素子３４１及び光学補償素子３４２を透過した直線偏光光である色光を変調して反射型偏光素子３４１に向けて反射する。反射型光変調装置３４３で反射された直線偏光光である色光は、光学補償素子３４２により位相が調整され、反射型偏光素子３４１に入射する。反射型偏光素子３４１に入射した光束は、反射されて偏光素子３４４に入射する。なお、反射型光変調装置３４３は、直線偏光光として、本実施形態では、Ｐ偏光光に揃えている。
【００３８】
偏光素子３４４は、反射型偏光素子３４１で反射された直線偏光光を透過させる。偏光素子３４４は、反射型偏光素子３４１で反射された光束に、正規の偏光光以外の偏光成分を有する偏光光が含まれた場合であっても、正規以外の偏光成分を除去する。これにより、画像のコントラスト向上に寄与する。
【００３９】
支持部６０は、色光毎に設けられ（Ｒ光用の支持部を６０Ｒ、Ｇ光用の支持部を６０Ｇ、Ｂ光用の支持部を６０Ｂとする）、反射型偏光素子３４１、光学補償素子３４２、反射型光変調装置３４３、及び偏光素子３４４を支持する。電気光学装置６は、位置決めされた投写レンズ３５及びクロスダイクロイックプリズム３４５に対して位置調整された後、図示省略する固定枠に固定される構成となっている。
【００４０】
クロスダイクロイックプリズム３４５は、電気光学装置６で変調された各色光を合成してカラー画像を表す画像光を形成する。クロスダイクロイックプリズム３４５は、４つの直角プリズムを貼り合わせた平面視略正方形をなし、直角プリズム同士を貼り合わせた界面には、２つの誘電体多層膜が形成されている。クロスダイクロイックプリズム３４５は、誘電体多層膜が電気光学装置６Ｒ，６Ｂで変調されたＲ光、Ｂ光を反射し、電気光学装置６Ｇで変調されたＧ光を透過して、各色光を合成する。
【００４１】
投写レンズ３５は、複数のレンズを組み合わせた組レンズとして構成され、光学装置３４で形成された画像光をスクリーン等の投写面に投写する。
【００４２】
図２は、Ｂ光用の電気光学装置６Ｂを示す斜視図であり、（ａ）は反射型光変調装置３４３側から見た斜視図であり、（ｂ）は反射型偏光素子３４１側から見た斜視図であり、（ｃ）は偏光素子３４４側から見た斜視図である。また、図３は、電気光学装置６Ｂを構成単位ごとに分解した斜視図である。図２、図３を参照して、電気光学装置６の概略の構成を説明する。
【００４３】
なお、Ｒ光用の電気光学装置６Ｒ及びＧ光用の電気光学装置６Ｇは、Ｂ光用の電気光学装置６Ｂと同様の構成となるため、以降では、Ｂ光用の電気光学装置６Ｂを取り上げて説明する。また、色光別の説明が必要である場合を除いて、符号「Ｂ」を省略した図面として説明する。
【００４４】
電気光学装置６は、略三角柱状のフレーム形状を有する支持部６０を基準として、連接する略矩形状の各側面部（第１側面部６１、第２側面部６２、第３側面部６３）に、反射型偏光素子３４１、光学補償素子３４２、反射型光変調装置３４３、及び偏光素子３４４を備える構成としている。
【００４５】
反射型偏光素子３４１は、図２（ｂ）、図３に示すように、第３保持部材７３に保持されて支持部６０の第２側面部６２に支持される。支持される際には、第３防塵部材８３（図９）を介して支持される。反射型偏光素子３４１は、第３保持部材７３に位置調整可能に保持される。なお、反射型偏光素子３４１を保持した第３保持部材７３を、構成単位として反射型偏光装置３４１０と呼称し、以降、適宜使用する。
【００４６】
光学補償素子３４２は、図３に示すように、第１保持部材７１に保持されて支持部６０の第１側面部６１に支持される。支持される際には、第１防塵部材８１を介して支持される。光学補償素子３４２は、第１保持部材７１に位置調整可能に保持される。なお、光学補償素子３４２を保持した第１保持部材７１を、構成単位として光学補償装置３４２０と呼称し、以降、適宜使用する。
【００４７】
反射型光変調装置３４３は、図２（ａ）、図３に示すように、第２保持部材７２に保持されて支持部６０の第１側面部６１に支持される。反射型光変調装置３４３は、光学補償素子３４２の後段に位置するように第１側面部６１に支持される。支持される際には、第２防塵部材８２を介して支持される。反射型光変調装置３４３は、第２保持部材７２に位置調整可能に保持される。なお、反射型光変調装置３４３を保持した第２保持部材７２を、構成単位として変調装置ユニット３４３０と呼称し、以降、適宜使用する。
【００４８】
偏光素子３４４は、図２（ｃ）、図３に示すように、第４保持部材７４に保持されて支持部６０の第３側面部６３に支持される。支持される際には、第４防塵部材８４を介して支持される。偏光素子３４４は、第４保持部材７４に位置調整可能に保持される。なお、偏光素子３４４を保持した第４保持部材７４を、構成単位として偏光装置３４４０と呼称し、以降、適宜使用する。
【００４９】
図４、図５は、第１側面部６１に支持される光学補償装置３４２０、変調装置ユニット３４３０を含む各部材の分解斜視図である。なお、図４は、第３側面部６３に支持される偏光素子３４４を含む各部材の分解斜視図も示している。図５は、第２側面部６２に支持される反射型偏光装置３４１０も図示している。
【００５０】
図６は、電気光学装置６（６Ｂ）を水平面で切断した断面斜視図であり、（ａ）は断面全体を示す図であり、（ｂ）は、（ａ）におけるＡ部の拡大図（第１側面部６１周辺を示す拡大図）であり、（ｃ）は（ａ）におけるＢ部の拡大図（第２側面部６２、第３側面部６３周辺を示す拡大図）である。図６は、図２（ｂ）の向きを基準として切断した図としている。
【００５１】
図４、図５を参照して、第１側面部６１に支持される光学補償素子３４２の構成を説明する。
【００５２】
図４に示すように、支持部６０の第１側面部６１には、光束が通過する矩形状の開口部６１１が形成されている。開口部６１１の外周部には、第１防塵部材８１と第１保持部材７１とを支持する第１支持面部６１２が形成されている。第１支持面部６１２の外周部には、第２防塵部材８２を支持する第２支持面部６１３が形成されている。第１支持面部６１２には、図面視で上下方向にネジ孔６１２１が形成されている。なお、ネジ孔６１２１は、第１保持部材７１を回転可能に支持する支持ピン６１２２が螺合する。
【００５３】
第１支持面部６１２の図面視で左方向の中央部には、第１側面部６１の外形まで同一面となる案内面部６１２Ａが形成されている。案内面部６１２Ａは、第１保持部材７１の後述する操作部７１２の動作を案内する。第１支持面部６１２の案内面部６１２Ａとの境界には、第１支持面部６１２から突出する案内突起部６１２Ｂが形成されている。案内突起部６１２Ｂは、案内面部６１２Ａに案内された操作部７１２の回転を案内する。
【００５４】
第１側面部６１の図面視で上下方向の端部には、第３支持面部６１４が所定の幅でＵ字状に形成されている。第３支持面部６１４には、後述する変調装置支持板６１８（図７（ｂ））が貼着され、反射型光変調装置３４３を支持する。
【００５５】
第１防塵部材８１は、第１側面部６１（第１支持面部６１２）と第１保持部材７１との間を覆う部材である。第１防塵部材８１は、図５に示すように、弾性を有して略矩形のリング状に形成されている。第１防塵部材８１は、第１保持部材７１に接する側には平面となる接続部８１１（図６（ｂ）参照）を有し、接続部８１１を基部として第１側面部６１側に概放射状に延びる板状の押圧部８１２を有している。本実施形態では、押圧部８１２の表面に、細かい凹凸形状を有する凹凸部（図示省略）が形成されている。
【００５６】
支持ピン６１２２は、第１保持部材７１を第１側面部６１に支持すると共に、光学補償素子３４２を保持した第１保持部材７１（光学補償装置３４２０）を回動可能に支持する部材である。支持ピン６１２２は、図４に示すように、一方の端部が第１支持面部６１２のネジ孔６１２１に螺合され、他方の端部が第１支持面部６１２から突出するように形成されている。
【００５７】
支持ピン６１２２は、ネジ孔６１２１に螺合するネジ部６１２２Ａ、ネジ部６１２２Ａより外径が大きい軸部６１２２Ｂ、及び、軸部６１２２Ｂより外径が大きく、ネジ部６１２２Ａの反対側に突出して、工具で支持ピン６１２２をねじ込む溝が形成された突出部６１２２Ｃ等を有している。
【００５８】
第１保持部材７１は、略矩形の枠状で、図４の図面視で、上下方向の端部が概円弧状に形成され、中央には略矩形状の開口部７１１が形成されている。第１保持部材７１には、左方向の端部中央から操作部７１２が延出して形成されている。操作部７１２は、光学補償素子３４２の位置調整を行う際に、回動操作される部分である。操作部７１２には、円弧状の開口部７１２１を有する案内部７１２２と、案内部７１２２から外周側に延出し、先端部が支持部６０側に傾斜する挟持部７１２３とが形成されている。第１保持部材７１を回動させる場合、この挟持部７１２３を調整治具（図示省略）に挟持して行う。
【００５９】
第１保持部材７１には、図面視で上下方向の端部が概円弧状に形成される部分に、支持ピン６１２２に回動可能に支持される調整用開口部７１３がそれぞれ形成されている。調整用開口部７１３には、円弧状に形成される案内孔部７１３１と、案内孔部７１３１の端部に案内孔部７１３１の幅より大きい径となる丸孔部７１３２が形成されている。丸孔部７１３２は、２つの調整用開口部７１３（案内孔部７１３１）において、対角となる端部に形成される。
【００６０】
光学補償素子３４２は、矩形の板状に形成されている。光学補償素子３４２は、本実施形態では、透明のガラス基板上の一方の面に無機部材の光学補償層が形成されている。
【００６１】
図７は、光学補償装置３４２０を組み立てた状態を示す斜視図であり、（ａ）は光学補償装置３４２０を示す斜視図であり、（ｂ）は光学補償装置３４２０を第１側面部６１に支持した状態を示す斜視図である。ここで、光学補償装置３４２０（光学補償素子３４２、第１保持部材７１、第１防塵部材８１）の組み立て、及び、第１側面部６１への支持に関して説明する。
【００６２】
図７に示すように、光学補償装置３４２０は、第１保持部材７１の反射型光変調装置３４３側の面に、開口部７１１を覆うように光学補償素子３４２が貼着される。また、第１保持部材７１の第１側面部６１側の面に、開口部７１１を覆うように第１防塵部材８１（詳細には、接続部８１１（図６（ｂ）））が貼着される。貼着する際の接着剤として、本実施形態では、シリコン系接着剤を用いている。このように光学補償装置３４２０（図７（ａ））が組み立てられる。
【００６３】
光学補償装置３４２０を第１側面部６１に支持させる場合、最初に、第１側面部６１のネジ孔６１２１（図４）に、支持ピン６１２２を螺合させ、支持ピン６１２２を第１側面部６１に設置する。次に、図７（ｂ）に示すように、支持ピン６１２２の突出部６１２２Ｃを、第１保持部材７１の調整用開口部７１３（丸孔部７１３２）に挿通して第１保持部材７１を押圧する。
【００６４】
このとき、第１防塵部材８１は、図６（ｂ）に示すように、第１側面部６１の第１支持面部６１２を押圧する状態となる。この状態で、第１保持部材７１を反時計回りに回転させることにより、図７（ｂ）に示すように、支持ピン６１２２を調整用開口部７１３の案内孔部７１３１に位置させる。
【００６５】
この動作により、第１保持部材７１は、案内孔部７１３１に支持ピン６１２２の軸部６１２２Ｂが位置し、第１支持面部６１２を押圧する第１防塵部材８１の反発力で、案内孔部７１３１の領域が支持ピン６１２２の突出部６１２２Ｃを内側から押圧する。上述した一連の動作により、図７（ｂ）に示すように、光学補償装置３４２０を第１側面部６１に支持することができる。
【００６６】
光学補償装置３４２０を第１側面部６１に支持した場合、図７（ｂ）に示すように、第１側面部６１の案内突起部６１２Ｂは、第１保持部材７１の開口部７１２１を挿通して開口部７１２１から突出した状態となる。また、挟持部７１２３が案内面部６１２Ａから延出した状態となる。
【００６７】
光学補償素子３４２を位置調整する場合は、第１保持部材７１を回動して行う。詳細には、挟持部７１２３を調整治具（図示省略）に挟持して回動させる。第１保持部材７１は、挟持部７１２３を上下方向に移動させることにより、案内突起部６１２Ｂ、支持ピン６１２２を基準に、開口部７１２１、調整用開口部７１３を摺動させて回動する。
【００６８】
第１防塵部材８１は、光学補償装置３４２０に設置されるため、第１保持部材７１の回動に伴って第１支持面部６１２を摺動する。しかし、第１防塵部材８１（押圧部８１２）は弾性により第１支持面部６１２を押圧しながら摺動し、摺動後の密閉性を保つことができる。
【００６９】
図６（ｂ）に示すように、光学補償装置３４２０を第１側面部６１に支持した場合、第１防塵部材８１は、第１支持面部６１２を押圧することにより、第１側面部６１（第１支持面部６１２）から開口部６１１内部（支持部６０内部）への塵埃の進入を防止する。
【００７０】
次に、図４、図５に戻り、第１側面部６１に支持される変調装置ユニット３４３０の構成と組み立てを説明する。
【００７１】
図４、図５に示すように、反射型光変調装置３４３は、液晶パネル３４３Ａと、液晶パネル３４３Ａを収容する矩形で箱状の枠３４３Ｂと、液晶パネル３４３Ａを収容した枠３４３Ｂを固定する矩形で板状の枠３４３Ｃと、フレキシブルケーブル（図示省略）を固定する枠３４３Ｄ等で構成されている。フレキシブルケーブルは、液晶パネル３４３Ａに接続し、液晶パネル３４３Ａを駆動する。
【００７２】
このように構成される反射型光変調装置３４３は、第２保持部材７２に保持される。第２保持部材７２は、メイン保持部材７２１と、サブ保持部材７２２とで構成されている。サブ保持部材７２２は、略矩形の枠状に形成されており、反射型光変調装置３４３の枠３４３Ｂを挿通する開口部７２２１が形成されている。また、サブ保持部材７２２には、各角部に対角方向に延出して第１側面部６１側に屈曲する調整用片部７２２２が形成されている。サブ保持部材７２２には、各角部にネジ孔７２２３が形成されている。
【００７３】
サブ保持部材７２２は、開口部７２２１に枠３４３Ｂを挿通させて、枠３４３Ｃに当接させた後、ネジＳＣを枠３４３Ｃに形成される孔部（図示省略）に挿通し、ネジ孔７２２３に螺合させることで枠３４３Ｃに設置される。なお、ネジＳＣの固定箇所は４箇所となる。これにより、反射型光変調装置３４３がサブ保持部材７２２と一体となる。
【００７４】
メイン保持部材７２１は、一体となったサブ保持部材７２２を固定する部材である。メイン保持部材７２１には、矩形の枠状で、中央部に開口部７２１１が形成されている。メイン保持部材７２１には、各角部に、サブ保持部材７２２の調整用片部７２２２を挿通する孔部７２１２が形成されている。メイン保持部材７２１は、図５に示すように、図面視で上下方向の中央部に第１側面部６１側に屈曲し、さらに外形側に屈曲する固定部７２１３がそれぞれ形成されている。
【００７５】
第２防塵部材８２は、第１側面部６１と第２保持部材７２との間を覆う部材である。詳細には、第２防塵部材８２は、図５、図６に示すように、サブ保持部材７２２の開口部７２２１の外周部に固定されて、第１側面部６１及びサブ保持部材７２２の間を覆う部材となる。
【００７６】
第２防塵部材８２は、図４、図５に示すように、弾性を有して略矩形のリング状に形成されている。第２防塵部材８２は、第１側面部６１側に接続部８２１と、サブ保持部材７２２側に接続部８２２と、接続部８２１，８２２をつなぐ屈曲部８２３とを有して形成されている。屈曲部８２３は、断面が概Ｓ字状（図６（ｂ））に形成されており、変調装置ユニット３４３０が第１側面部６１に支持された場合に、撓む方向を規制している。本実施形態では、接続部８２１，８２２の表面に、細かい凹凸形状を有する凹凸部（図示省略）が形成されている。
【００７７】
第２防塵部材８２（接続部８２２）は、枠３４３Ｂを挿通して、一体となったサブ保持部材７２２の開口部７２２１の周辺に貼着される。貼着する際の接着剤として、本実施形態では、シリコン系接着剤を用いている。
【００７８】
メイン保持部材７２１は、第２防塵部材８２（接続部８２２）が貼着されて一体となったサブ保持部材７２２を固定する。メイン保持部材７２１は、開口部７２１１に第２防塵部材８２を挿通し、併せて、調整用片部７２２２を孔部７２１２に挿入する。その後、孔部７２１２に紫外線硬化型接着剤を塗布して硬化させることで、メイン保持部材７２１は、サブ保持部材７２２を固定し、変調装置ユニット３４３０（図３）が組み立てられる。
【００７９】
変調装置ユニット３４３０を第１側面部６１に支持するには、最初に、図７（ｂ）に示すように、第１側面部６１の２つの第３支持面部６１４に、変調装置支持板６１８を貼着する。貼着には、本実施形態では、紫外線硬化型接着剤を用いている。
【００８０】
次に、変調装置支持板６１８の面部６１８Ａに、変調装置ユニット３４３０（第２保持部材７２）のメイン保持部材７２１に構成され、図５に示すように、面部６１８Ａに相対する面部７２１Ａ（固定部７２１３の根元部）を貼着する。貼着には、本実施形態では、紫外線硬化型接着剤を用いている。これにより、変調装置ユニット３４３０を第１側面部６１に支持する。
【００８１】
変調装置ユニット３４３０を第１側面部６１に支持して固定した場合、図６（ａ），（ｂ）に示すように、第２防塵部材８２は、屈曲部８２３が更に屈曲した状態となり、接続部８２１を介して第１側面部６１（第２支持面部６１３）を押圧する。また、接続部８２２を介してサブ保持部材７２２の貼着される開口部７２２１の周辺部を押圧する。
【００８２】
これにより、第２防塵部材８２は、光学補償素子３４２と反射型光変調装置３４３との間を密閉された空間とすることができる。そして、第２防塵部材８２は、第１側面部６１（第２支持面部６１３）及び第２保持部材７２（サブ保持部材７２２）との隙間から、この空間内部への塵埃の進入を防止する。
【００８３】
図８は、第２防塵部材８２と第１保持部材７１の操作部７１２との押圧関係を説明する斜視図である。なお、図８において、第２防塵部材８２は変調装置ユニット３４３０に組み立てられる部材であるが、説明の便宜上、単独で図示している。
【００８４】
図８に示すように、光学補償装置３４２０を第１側面部６１に支持させた後、変調装置ユニット３４３０を第１側面部６１に支持させた場合、第２防塵部材８２の接続部８２１は、第１側面部６１の第２支持面部６１３を押圧する状態となる。なお、第２支持面部６１３の左方向には第１支持面部６１２から繋がる案内面部６１２Ａが形成され、第１保持部材７１の操作部７１２が位置している。本実施形態では、第２防塵部材８２の接続部８２１は、この操作部７１２（案内部７１２２）を押圧する状態となる。
【００８５】
従って、第２防塵部材８２の接続部８２１は、第２支持面部６１３を押圧すると共に、第１保持部材７１の案内部７１２２を押圧する状態となる。そして、第２防塵部材８２は、案内部７１２２を摺動可能に押圧し、摺動後の密閉性を保つことができる。これにより、第２防塵部材８２は、図８に示すように、操作部７１２が第２防塵部材８２の外部に延出した状態でも、操作部７１２から、光学補償素子３４２と反射型光変調装置３４３とに挟まれた空間内部への塵埃の進入を防止する。
【００８６】
図９、図１０は、第２側面部６２に支持される反射型偏光装置３４１０を含む各部材の分解斜視図である。なお、図９は、第１側面部６１に支持される変調装置ユニット３４３０の斜視図も示している。図１０は、第３側面部６３に支持される偏光装置３４４０の分解斜視図も示している。図９、図１０を参照して、第２側面部６２に支持される反射型偏光装置３４１０の構成と組み立てを説明する。
【００８７】
図９に示すように、支持部６０の第２側面部６２には、光束が通過する矩形状の開口部６２１が形成されている。開口部６２１の外周部には、第３防塵部材８３を支持する第１支持面部６２２が形成されている。第２側面部６２には、図９の図面視で上方向の端部の左右と、下方向の端部の中央とに、一様に突出する固定部６２４が形成されている。この固定部６２４には、円柱状に突出する調整用突起部６２３がそれぞれ形成されている。
【００８８】
３つの調整用突起部６２３は、反射型偏光素子３４１を保持する第３保持部材７３（メイン保持部材７３１）のメイン操作部７３１４と２つのサブ操作部７３１５とを案内する。また、固定部６２４は、反射型偏光素子３４１を保持した第３保持部材７３を第２側面部６２に支持する後述する固定用バネ部材７５を案内する。
【００８９】
反射型偏光素子３４１は、図３に示すように、第３保持部材７３に保持される。第３保持部材７３は、図９に示すように、メイン保持部材７３１と、サブ保持部材７３２とで構成されている。
【００９０】
メイン保持部材７３１は、略矩形の枠状に形成され、中央に光束を通過させる開口部７３１１が形成されている。開口部７３１１の外周部には、反射型偏光素子３４１を収容する収容部７３１２が形成されている。メイン保持部材７３１には、図１０に示すように、図面視で上方向の端部の中央と、下方向の端部の左右とに係合用突起部７３１３がそれぞれ上下方向に突出して形成されている。メイン保持部材７３１は、耐熱性を有する合成樹脂部材で形成される。
【００９１】
メイン保持部材７３１には、図９の図面視で上方向の端部の左方向に、上方向に延出するメイン操作部７３１４が形成される。また、メイン保持部材７３１には、図９の図面視で上方向の端部の右方向で上方向に延出するサブ操作部７３１５と、下方向の端部の中央で下方向に延出するサブ操作部７３１５とが形成されている。
【００９２】
サブ操作部７３１５には、第２側面部６２に形成され相対する調整用突起部６２３を挿通して回動可能とする調整用孔部７３１５Ａが、円弧状にそれぞれ形成されている。同様に、メイン操作部７３１４には、第２側面部６２に形成され相対する調整用突起部６２３を挿通して回動可能とする調整用孔部７３１４Ａが、円弧状に形成されている。また、メイン操作部７３１４、サブ操作部７３１５には、固定用バネ部材７５に係合する係合用突起部７３１４Ｂ，７３１５Ｂがそれぞれ形成されている。メイン操作部７３１４には、斜め上方向に延出する挟持部７３１４Ｃが形成される。
【００９３】
サブ保持部材７３２は、略矩形の枠状に形成され、中央に光束を通過させる開口部７３２１が形成されている。図９の図面視で開口部７３２１の上下方向の外周部には、反射型偏光素子３４１を押圧する押圧バネ部７３２２が形成されている。
【００９４】
押圧バネ部７３２２には、詳細には、上方向の中央部に１つの押圧バネ７３２２Ａが形成され、下方向の中央部から内側に延出し、左右方向に伸びて形成される２つの押圧バネ７３２２Ｂが形成されている。押圧バネ部７３２２は、合計３つのバネ（１つの押圧バネ７３２２Ａと２つの押圧バネ７３２２Ｂ）により、反射型偏光素子３４１を押圧する。
【００９５】
また、サブ保持部材７３２には、図１０の図面視で上方向の端部の中央と、下方向の端部の左右とに、第２側面部６２側に屈曲して延出し、係合用孔部７３２３Ａを有する係合用片部７３２３が形成されている。
【００９６】
メイン保持部材７３１の収容部７３１２に反射型偏光素子３４１を収容した場合、メイン保持部材７３１の外面部７３１Ａとサブ保持部材７３２の内面部７３２Ａとの間には、弾性を有して略矩形のリング状に形成される弾性部材７３３が設置される。
【００９７】
弾性部材７３３は、図６（ｃ）、図９、図１０に示すように、サブ保持部材７３２の内面部７３２Ａに接する側に、平面となる接続部７３３１を有している。また、弾性部材７３３は、接続部７３３１を基部として、反射型偏光素子３４１側に概放射状に延びる板状の押圧部７３３２を有している。また、弾性部材７３３は、接続部７３３１を基部として、メイン保持部材７３１の外面部７３１Ａ側に概放射状に延びる板状の押圧部７３３３を有している。なお、弾性部材７３３は、サブ保持部材７３２の内面部７３２Ａにシリコン系接着剤を用いて貼着される。
【００９８】
反射型偏光装置３４１０の組み立て方を説明する。
最初に、矩形状を有して構成される反射型偏光素子３４１を、メイン保持部材７３１の収容部７３１２に収容し、開口部７３１１を覆うように設置する。その後、弾性部材７３３が貼着されたサブ保持部材７３２をメイン保持部材７３１に設置する。
【００９９】
メイン保持部材７３１にサブ保持部材７３２を設置する場合、サブ保持部材７３２の係合用片部７３２３に形成される係合用孔部７３２３Ａ（図１０）を、メイン保持部材７３１の係合用突起部７３１３に係合させる。これにより、反射型偏光装置３４１０が組み立てられる。
【０１００】
この組み立てにより、反射型偏光素子３４１は、サブ保持部材７３２の押圧バネ部７３２２に押圧され、メイン保持部材７３１の収容部７３１２に安定して収容される。また、弾性部材７３３の押圧部７３３２が、図６（ｃ）に示すように、反射型偏光素子３４１の面上を押圧する。また、弾性部材７３３の押圧部７３３３がメイン保持部材７３１の外面部７３１Ａを押圧する。
【０１０１】
弾性部材７３３は、図６（ｃ）に示すように、サブ保持部材７３２の開口部７３２１やサブ保持部材７３２の外形端部から、反射型偏光素子３４１と収容部７３１２との隙間を介して、反射型偏光素子３４１の内面側に塵埃が進入することを防止している。
【０１０２】
第３防塵部材８３は、第２側面部６２と反射型偏光装置３４１０（第３保持部材７３）との間を覆う部材である。第３防塵部材８３は、図１０に示すように、弾性を有して略矩形のリング状に形成されている。第３防塵部材８３は、リング状の断面が概Ｖ字状に外周に広がる形状を有しており、第３保持部材７３側に広がる部分を押圧部８３１、第２側面部６２側に広がる部分を押圧部８３２とする。
【０１０３】
本実施形態では、第３防塵部材８３の表面に、細かい凹凸形状を有する凹凸部（図示省略）が形成されている。また、第３防塵部材８３は、第３防塵部材８３を設置する第２側面部６２の第１支持面部６２２の外形より若干大きく形成されている。
【０１０４】
固定用バネ部材７５は、図９、図１０に示すように、反射型偏光装置３４１０を第２側面部６２に回動可能に支持して固定する部材である。固定用バネ部材７５は、第２側面部６２の固定部６２４に案内される開口部７５１１を有する基部７５１と、基部７５１の相対する両端面から同方向に略垂直に屈曲する係止部７５２とで構成される。一方の係止部７５２には、メイン保持部材７３１の係合用突起部７３１４Ｂ，７３１５Ｂに係合する開口部７５２１が形成されている。
【０１０５】
第２側面部６２に反射型偏光装置３４１０を支持させる場合、最初に、図３、図９に示すように、第２側面部６２の第１支持面部６２２に第３防塵部材８３を設置する。詳細には、第３防塵部材８３の押圧部８３２を第１支持面部６２２に押し付ける。なお、第３防塵部材８３は、第１支持面部６２２の外形より若干大きく形成されているため、押し付ける動作により、第３防塵部材８３は第１支持面部６２２に仮固定される。
【０１０６】
次に、設置した第３防塵部材８３を介して、反射型偏光装置３４１０を第２側面部６２に設置する。詳細には、反射型偏光装置３４１０のメイン保持部材７３１に形成されるメイン操作部７３１４の調整用孔部７３１４Ａと、２つのサブ操作部７３１５の調整用孔部７３１５Ａとを、対応する第２側面部６２の調整用突起部６２３にそれぞれ挿通させる。
【０１０７】
次に、固定用バネ部材７５を第２側面部６２の固定部６２４にそれぞれ相対させ、上下方向から押し込み、基部７５１の開口部７５１１に固定部６２４の先端部を位置させる。この動作により、それぞれの係止部７５２は、第２側面部６２にメイン操作部７３１４を挟み込み、また、第２側面部６２にサブ操作部７３１５を挟み込む。そして、係止部７５２の開口部７５２１は、メイン操作部７３１４とサブ操作部７３１５との係合用突起部７３１４Ｂ，７３１５Ｂと係合する。これにより、図２（ｂ）に示すように、第２側面部６２に反射型偏光装置３４１０を支持させることができる。
【０１０８】
第２側面部６２に反射型偏光装置３４１０を支持させた場合、図６（ｃ）に示すように、第３防塵部材８３は、第２側面部６２（第１支持面部６２２）と、反射型偏光装置３４１０（第３保持部材７３のメイン保持部材７３１）との間を押圧して塞ぐ。
【０１０９】
第２側面部６２に反射型偏光装置３４１０を支持させた後の、反射型偏光素子３４１の位置調整を行うための回動の仕方に関して説明する。なお、本実施形態では、反射型偏光素子３４１の位置調整は、後述する偏光素子３４４の位置調整と合わせて行う。
【０１１０】
反射型偏光素子３４１の位置調整を行う場合は、図２（ｂ）に示すように、第２側面部６２に対して反射型偏光装置３４１０（第３保持部材７３）を回動して調整する。詳細には、第３保持部材７３（メイン操作部７３１４）の挟持部７３１４Ｃを、調整治具（図示省略）に挟持して回動させて調整する。
【０１１１】
挟持部７３１４Ｃを回動させた場合、反射型偏光装置３４１０が回動することに併せて、固定用バネ部材７５も、反射型偏光装置３４１０を第２側面部６２に挟持した状態で回動する。また、第３保持部材７３は、回動する場合、図９に示すように、第２側面部６２に形成された調整用突起部６２３を調整用孔部７３１４Ａ，７３１５Ａに摺動させて回動する。
【０１１２】
第３防塵部材８３は、第３保持部材７３（メイン保持部材７３１）を摺動可能に押圧している。詳細には、図６（ｃ）、図１０に示すように、第３防塵部材８３の押圧部８３１が、メイン保持部材７３１の外面部７３１Ｂを押圧した状態で摺動させる。なお、位置調整が終了した場合には、第３防塵部材８３の押圧部８３１が、摺動したメイン保持部材７３１の外面部７３１Ｂを押圧しているため、調整前と同様に、隙間を塞ぎ、摺動後の密閉性を保つことができる。これにより、第３防塵部材８３は、図６（ｃ）に示すように、第１支持面部６２２とメイン保持部材７３１との隙間を介して、開口部６２１から支持部６０の空間内部に塵埃が侵入することを防止している。
【０１１３】
図４、図１０を参照して、第３側面部６３に支持される偏光装置３４４０の構成を説明する。
【０１１４】
図１０に示すように、支持部６０の第３側面部６３には、光束が通過する矩形状の開口部６３１が形成されている。開口部６３１の外周部には、第４防塵部材８４を支持する第１支持面部６３２が形成されている。
【０１１５】
第３側面部６３は、図１０に示すように、図面視で上方向の端部の中央部に、円弧状に湾曲する外面部６３３Ａを有して、上方向に突出する調整部６３３が形成されている。また、第３側面部６３は、同様に、図面視で下方向の端部の中央部に、円弧状に湾曲する外面部６３５Ａを有して、下方向に突出する調整部６３５が形成されている。
【０１１６】
また、調整部６３３の外面部６３３Ａ中央には、後述する第４保持部材７４を係合させる係合用突起部６３４が形成され、調整部６３５の外面部６３５Ａ中央には、後述する第４保持部材７４を係合させる係合用突起部６３６が形成されている。
【０１１７】
第４防塵部材８４は、第３側面部６３（第１支持面部６３２）と第４保持部材７４との間を覆う部材である。第４防塵部材８４は、図４、図１０に示すように、弾性を有して略矩形のリング状に形成されている。
【０１１８】
第４防塵部材８４は、図１０に示すように、第４保持部材７４に接する側には平面となる接続部８４１を有し、接続部８４１を基部として第３側面部６３側に概放射状に延びる板状の押圧部８４２を有している。本実施形態では、押圧部８４２の表面には、細かい凹凸形状を有する凹凸部（図示省略）が形成されている。
【０１１９】
第４保持部材７４は、略矩形の枠状で、中央には略矩形状の開口部７４１が形成されている。第４保持部材７４には、図１０の図面視で上方向の端部中央からメイン操作部７４２が延出して形成されている。メイン操作部７４２は、偏光素子３４４の位置調整を行う際に、回動操作される部分である。また、第４保持部材７４には、図４の図面視で下方向の端部中央からサブ操作部７４３が延出して形成されている。サブ操作部７４３は、偏光素子３４４の位置調整を行う際に、メイン操作部７４２に従動して回動操作される部分である。なお、メイン操作部７４２及びサブ操作部７４３は、偏光装置３４４０を第３側面部６３に支持する部分でもある。
【０１２０】
メイン操作部７４２は、上方向の端部中央から上方向に延出して第３側面部６３側に曲折する２つの接続部７４２１と、２つの接続部７４２１の端部に形成されて上側の調整部６３３の外面部６３３Ａに沿って円弧状に湾曲する案内部７４２２と、案内部７４２２に形成される孔部７４２３とを有している。また、メイン操作部７４２には、図１０に示すように、図面視で、案内部７４２２の左側の端部から斜め上方向に延出する挟持部７４２４が形成されている。
【０１２１】
サブ操作部７４３も、メイン操作部７４２と略同様に構成され、図４に示すように、下方向の端部中央から下方向に延出して第３側面部６３側に曲折する２つの接続部７４３１と、２つの接続部７４３１の端部に形成されて調整部６３５の外面部６３５Ａに沿って円弧状に湾曲する案内部７４３２とを有している。
【０１２２】
図１１は、偏光装置３４４０を組み立てた状態を示す斜視図である。偏光装置３４４０の組み立て、及び、第３側面部６３への支持に関して説明する。
【０１２３】
図１１に示すように、第４保持部材７４の第３側面部６３側とは反対側の面に、開口部７４１を覆うように、矩形状の偏光素子３４４が貼着される。また、第４保持部材７４の第３側面部６３側の面に、開口部７４１を囲むように、第４防塵部材８４（詳細には、接続部８４１（図１０））が貼着される。貼着する際の接着剤として、本実施形態では、シリコン系接着剤を用いている。このように偏光装置３４４０が組み立てられる。
【０１２４】
偏光装置３４４０を第３側面部６３に支持させる場合、図１０に示すように、最初に、第４保持部材７４のメイン操作部７４２とサブ操作部７４３とを、第３側面部６３の調整部６３３，６３５にそれぞれ相対させ、併せて第３側面部６３の第１支持面部６３２に、第４防塵部材８４の押圧部８４２が位置するように合わせる。次に、その状態で、偏光装置３４４０を第３側面部６３側に押し込む。
【０１２５】
この動作により、メイン操作部７４２の案内部７４２２を、調整部６３３の外面部６３３Ａに摺動させ、サブ操作部７４３の案内部７４３２を、調整部６３５の外面部６３５Ａに摺動させる。そして、メイン操作部７４２の案内部７４２２の孔部７４２３に、係合用突起部６３４を係合させる。また、サブ操作部７４３の、接続部７４３１と案内部７４３２とに囲まれる孔部７４３３（図４）に、係合用突起部６３６を係合させる。これにより、偏光装置３４４０を第３側面部６３に支持させることができる。
【０１２６】
第３側面部６３に偏光装置３４４０を支持させた場合、図６（ｃ）に示すように、第４防塵部材８４は、第３側面部６３（第１支持面部６３２）と、偏光装置３４４０（第４保持部材７４）との間を押圧して塞ぐ。
【０１２７】
第３側面部６３に偏光装置３４４０を支持させた後の、偏光素子３４４の位置調整を行うための回動の仕方に関して説明する。
【０１２８】
偏光素子３４４の位置調整を行う場合は、図２（ｃ）に示すように、第３側面部６３に対して偏光装置３４４０（第４保持部材７４）を回動して調整する。詳細には、第４保持部材７４（メイン操作部７４２）の挟持部７４２４を、調整治具（図示省略）に挟持して回動させて調整する。
【０１２９】
挟持部７４２４を回動させた場合、偏光装置３４４０は、図４、図１０に示すように、メイン操作部７４２の孔部７４２３に係合用突起部６３４を係合させ、サブ操作部７４３の孔部７４３３に係合用突起部６３６を係合させながら回動する。これにより、偏光装置３４４０を第３側面部６３に支持させながら回動させることができる。
【０１３０】
また、挟持部７４２４を回動させた場合、第４保持部材７４は、メイン操作部７４２の案内部７４２２を調整部６３３の外面部６３３Ａに摺動させ、サブ操作部７４３の案内部７４３２を調整部６３５の外面部６３５Ａに摺動させながら回動する。
【０１３１】
第４防塵部材８４は、第３側面部６３を摺動可能に押圧している。詳細には、図６（ｃ）に示すように、第４防塵部材８４の押圧部８４２が、第３側面部６３の第１支持面部６３２を押圧した状態で摺動する。なお、位置調整が終了した場合には、第４防塵部材８４の押圧部８４２が、第１支持面部６３２を押圧しているため、調整前と同様に、隙間を塞ぎ、摺動後の密閉性を保つことができる。これにより、第４防塵部材８４は、第１支持面部６３２と第４保持部材７４との隙間を介して、開口部６３１から支持部６０の空間内部に塵埃が侵入することを防止している。
【０１３２】
次に、反射型偏光素子３４１、光学補償素子３４２、反射型光変調装置３４３、及び偏光素子３４４の位置調整方法に関して概略説明する。
【０１３３】
最初に、反射型偏光装置３４１０（反射型偏光素子３４１）と偏光装置３４４０（偏光素子３４４）とを支持部６０に支持させて、反射型偏光素子３４１と偏光素子３４４との位置調整を行う。詳細には、反射型偏光装置３４１０に調整用の所定の偏光光を入射させ、透過した偏光光を反射型光変調装置３４３に換わる治具装置で反射させ、反射された偏光光を反射型偏光装置３４１０で反射させて偏光装置３４４０に入射させる。そして、偏光装置３４４０を透過した偏光光のコントラストを測定し、コントラストが最大となるように、反射型偏光装置３４１０と偏光装置３４４０とを回動させて調整する。
【０１３４】
次に、支持部６０に、上述した治具装置に換えて、光学補償装置３４２０（光学補償素子３４２）と変調装置ユニット３４３０（反射型光変調装置３４３）とを支持させて、光学補償装置３４２０の位置調整を行う。なお、本実施形態では、光学補償装置３４２０の位置調整を行うことで、変調装置ユニット３４３０の位置調整を併せて行っている。
【０１３５】
位置調整は、詳細には、反射型偏光装置３４１０に調整用の所定の偏光光を入射させ、変調装置ユニット３４３０で反射させ、最終的に偏光装置３４４０を透過させる。そして、偏光装置３４４０を透過した偏光光のコントラストを測定し、コントラストが最大となるように、光学補償装置３４２０を回動させて調整する。なお、各装置の位置調整の仕方は、上述した通りである。
【０１３６】
また、各装置の位置調整が終了した場合、調整された位置でそれぞれ固定する。詳細には、光学補償装置３４２０は、操作部７１２と案内面部６１２Ａとの間に接着剤を塗布して固定する。また、反射型偏光装置３４１０は、それぞれの固定用バネ部材７５の開口部７５１１に接着剤を塗布して、対応する固定部６２４に固定する。また、偏光装置３４４０は、メイン操作部７４２の孔部７４２３に接着剤を塗布して調整部６３３に固定し、サブ操作部７４３の孔部７４３３に接着剤を塗布して調整部６３５に固定する。なお、接着剤は、本実施形態では、紫外線硬化型接着剤を用いている。この固定により、電気光学装置６（Ｂ光用の電気光学装置６Ｂ）が完成する。
【０１３７】
以上では、Ｂ光用の電気光学装置６Ｂを取り上げて説明したが、Ｒ光用の電気光学装置６Ｒ及びＧ光用の電気光学装置６Ｇも、Ｂ光用の電気光学装置６Ｂと同様の構成となるため、上述した各装置や各部材の構成や組み立て、及び位置調整の仕方を同様に適用することができる。
【０１３８】
次に、光学装置３４における位置調整方法に関して概略説明する。
各色光用の電気光学装置６（６Ｒ，６Ｇ，６Ｂ）が、それぞれ位置調整されて組み立てられた後、クロスダイクロイックプリズム３４５の入射面（図示省略）に対して、各色光用の電気光学装置６を仮設置する。そして、クロスダイクロイックプリズム３４５から射出される合成された画像光の画素位置調整を行う。
【０１３９】
画素位置調整は、例えば、Ｇ光用の電気光学装置６Ｇを基準として、Ｒ光用の電気光学装置６Ｒと、Ｂ光用の電気光学装置６Ｂとを６軸方向で順次調整することにより、対応する３つの色光の画素が一致するように、画像光の画素位置調整を行う。その後、クロスダイクロイックプリズム３４５の３方向の入射面に、各色光用の電気光学装置６を、調整された位置で接着剤等を用いて固定する。これにより、図１に示す光学装置３４が完成する。
【０１４０】
本実施形態では、第１防塵部材８１、第２防塵部材８２、第３防塵部材８３、及び第４防塵部材８４を用いることにより、各装置（素子）の位置調整を行った場合にも、支持部６０の空間内部を密閉することができる。また、光学補償素子３４２と反射型光変調装置３４３とで囲まれる空間内部を密閉することができる。
【０１４１】
これにより、支持部６０の空間内部に塵埃が進入することを防止することができ、また、光学補償素子３４２と反射型光変調装置３４３とで囲まれる空間内部に塵埃が進入することを防止することができる。そのため、反射型偏光素子３４１、光学補償素子３４２、反射型光変調装置３４３、及び偏光素子３４４の支持部６０側の各面に塵埃が付着することを防止することができる。
【０１４２】
なお、第１防塵部材８１、第２防塵部材８２、第３防塵部材８３、及び第４防塵部材８４は、本実施形態では、エチレン・プロピレンゴム（ＥＰＤＭ）を材料として、硬度約５０度で構成されている。これにより、密閉性や摺動性、並びに光源装置３１等からの熱に対する耐熱性等を得ている。また、弾性部材７３３も同様の材料を用いて構成されている。
【０１４３】
上述した実施形態によれば、以下の効果が得られる。
本実施形態のプロジェクター１において、光学補償素子３４２は第１保持部材７１により位置調整され、反射型光変調装置３４３は第２保持部材７２により位置調整される。これにより、投写画像の高コントラスト化を図ることができる。また、弾性を有する第１防塵部材８１で、支持部６０の第１側面部６１と、第１保持部材７１との間を覆うことにより、光学補償素子３４２の位置調整を行っても、第１側面部６１と第１保持部材７１との間を密閉することができる。また、弾性を有する第２防塵部材８２で、第１側面部６１と第２保持部材７２との間を覆うことにより、反射型光変調装置３４３の位置調整を行っても、第１側面部６１と第２保持部材７２との間を密閉することができる。これにより、光学補償素子３４２と反射型光変調装置３４３との位置調整を行っても、光学補償素子３４２と反射型光変調装置３４３との間を密閉することができ、反射型光変調装置３４３に塵埃が付着することを防止できる。これにより、投写画像に塵埃の影が映り込むことを防止することができる。
【０１４４】
本実施形態のプロジェクター１において、反射型偏光素子３４１は第３保持部材７３により位置調整されることで、投写画像の高コントラスト化を図ることができる。また、第３防塵部材８３で、支持部６０の第２側面部６２と、第３保持部材７３との間を覆うことにより、反射型偏光素子３４１の位置調整を行っても、第２側面部６２と第３保持部材７３との間を密閉することができる。そのため、第３保持部材７３側からの支持部６０内部への塵埃の侵入を防止することができる。これにより、投写画像に塵埃の影が映り込むことを防止することに寄与することができる。
【０１４５】
本実施形態のプロジェクター１において、偏光素子３４４は第４保持部材７４により位置調整されることで、投写画像の高コントラスト化を図ることができる。また、第４防塵部材８４で、支持部６０の第３側面部６３と、第４保持部材７４との間を覆うことにより、偏光素子３４４の位置調整を行っても、第３側面部６３と第４保持部材７４との間を密閉することができる。そのため、第４保持部材７４側からの支持部６０内部への塵埃の侵入を防止することができる。これにより、投写画像に塵埃の影が映り込むことを防止することに寄与することができる。
【０１４６】
本実施形態のプロジェクター１は、各光学素子の位置調整を行っても、第１側面部６１と第１保持部材７１との間、第１側面部６１と第２保持部材７２との間、第２側面部６２と第３保持部材７３との間、及び第３側面部６３と第４保持部材７４との間を密閉することができるため、第１側面部６１から第３側面部６３までの３つの側面部からの支持部６０内部への塵埃の侵入を防止することができる。これにより、各光学素子の支持部６０側の面への塵埃の付着を防止することができ、投写画像に塵埃の影が映り込むことを防止することができる。従って、各光学素子の位置調整を行うことで、高コントラスト化を実現することができると共に、投写画像に塵埃の影が映り込むことを防止することができる。
【０１４７】
本実施形態のプロジェクター１は、第１防塵部材８１の押圧部８１２の表面と、第２防塵部材８２の接続部８２１，８２２の表面と、第３防塵部材８３の表面と、第４防塵部材８４の押圧部８４２とに、細かい凹凸形状を有する凹凸部が形成されている。これにより、それぞれの保持部材が調整のために摺動した場合、防塵部材と保持部材、あるいは、防塵部材と側面部の密閉性を更に確保することができる。従って、投写画像に塵埃の影が映り込むことを更に防止することができる。
【０１４８】
本実施形態のプロジェクター１において、第１保持部材７１の操作部７１２は、第２防塵部材８２の外部に位置している。そして、この操作部７１２を操作して光学補償素子３４２の位置を調整した場合、第２防塵部材８２が操作部７１２を摺動可能に押圧することにより、位置調整後の操作部７１２に第２防塵部材８２を密着させて、防塵性能を確保することができる、従って、光学補償素子３４２と反射型光変調装置３４３との間を密閉することができることにより、投写画像に塵埃の影が映り込むことを防止することができる。
【０１４９】
なお、上述した実施形態に限定されず、その要旨を逸脱しない範囲において種々の変更や改良等を加えて実施することが可能である。変形例を以下に述べる。
【０１５０】
前記実施形態のプロジェクター１は、各防塵部材に凹凸部が形成されている。しかし、凹凸部は、第１防塵部材８１から第４防塵部材８４までのうち少なくとも１つの防塵部材に形成される構成としてもよい。また、防塵部材に凹凸部を形成しない構成であってもよい。
【０１５１】
前記実施形態のプロジェクター１において、各防塵部材は、それぞれ固有の形状で構成されている。しかし、防塵部材の形状は、本実施形態の形状に限られるものではなく、支持部の各側面部と、光学素子を保持する各保持部材との間を覆う形状に、適宜変更することができる。
【０１５２】
前記実施形態のプロジェクター１において、各防塵部材は、エチレン・プロピレンゴムを材料として構成されている。しかし、これに限られず、密閉性や摺動性、及び耐熱性等を兼ね備える材料に変更することでもよい。
【０１５３】
前記実施形態のプロジェクター１の光学系は、Ｒ光、Ｇ光、Ｂ光に対応する３つの反射型光変調装置３４３を用いるいわゆる３板方式を採用しているが、これに限らず、単板方式の反射型光変調装置に本実施形態を適用してもよい。
【０１５４】
前記実施形態のプロジェクター１の光学系において、光源装置３１は、放電型の光源を用いている。しかし、光源装置として固体光源を用いてもよい。固体光源としては、レーザー光源、ＬＥＤ（Light Emitting Diode）、有機ＥＬ（Electro Luminescence）素子、シリコン発光素子等の各種固体発光素子等を用いてもよい。
【符号の説明】
【０１５５】
１…プロジェクター、６０…支持部、６１…第１側面部、６２…第２側面部、６３…第３側面部、７１…第１保持部材、７２…第２保持部材、７３…第３保持部材、７４…第４保持部材、８１…第１防塵部材、８２…第２防塵部材、８３…第３防塵部材、８４…第４防塵部材、３４１…反射型偏光素子、３４２…光学補償素子、３４３…反射型光変調装置、３４４…偏光素子、６１１…開口部、６２１…開口部、６３１…開口部、７１２…操作部。
【図１】
2015014708.tif 000003
【図２】
2015014708.tif 000004
【図３】
2015014708.tif 000005
【図４】
2015014708.tif 000006
【図５】
2015014708.tif 000007
【図６】
2015014708.tif 000008
【図７】
2015014708.tif 000009
【図８】
2015014708.tif 000010
【図９】
2015014708.tif 000011
【図１０】
2015014708.tif 000012
【図１１】
2015014708.tif 000013